(57)【要約】通常、骨折をすると、焼石膏包帯で、骨折部分を手当てする。焼石膏包帯を装着するのは、煩雑な作業であり、固定されるまでに時間がかかる。本発明は、怪我をした箇所に素早く装着できる形成可能な積層品に関係する。前記積層品は、内部をバキュームすることにより、硬くすることができる。
2006520660.tif 000002
【特許請求の範囲】
【請求項１】
各層を互いに部分的に結合して成る積層品であって、
該積層品は、少なくとも3層を有し、例えば、平面状態から、あらゆる体の形状に合わせるように成形可能であり、さらに、硬くすることもでき、必要に応じて、成形可能な状態にもどすこともでき、
空気等の気体媒質を通す複数の内部層（3層構造の場合には、1の中間層）、気体媒質を通さない2の外層、及び、これらの層を利用して形成され、外層、及び、内部層との間に位置する、多数の閉鎖区画から構成され、
該区画は、顆粒、粉末、あるいは、低/高粘度の液体で、部分的に、あるいは、完全に充填されており、そして、
内部層を共通の境界面として、2の区画が結合するように構築されている
ことを特徴とする、積層品。
【請求項２】
請求項1に記載の積層品であって、各閉鎖区画が2の隣接する層から形成され、2層から成るこの区画の周辺を、密閉するように結合することを特徴とする積層品。
【請求項３】
請求項1の積層品であって、内部層を共通の境界面として有する区画を形成し、この区画を並ぶように配置し、好ましくは、この区画が互いに平行に配置される、ことを特徴とする積層品。
【請求項４】
請求項1の積層品であって、複数の層を含み、外層は気体を通過させず、内部層は気体を通過させることができることを特徴とする、積層品。
【請求項５】
請求項1から4のうちの1以上の請求項に記載の積層品であって、2の外層のどちらかが、少なくとも1のバキューム装置を装備するためのバルブを有し、内部を真空にして、真空を維持することができ、前記バルブを介して、真空を解除することもできることを特徴とする、積層品。
【請求項６】
請求項1から5のうちの1以上の請求項に記載の積層品であって、外層が、プラスチック（例えばポリウレタン）、ゴム、あるいは、他の好適な物質から作られることを特徴とする、積層品。
【請求項７】
請求項1から6のうちの1以上の請求項に記載の積層品であって、内部層が気体透過性物質として知られている物質から、作られることを特徴とする、積層品。
【請求項８】
請求項1に記載の積層品であって、積層品内を真空にした時に、積層品を完全に硬くするための充填剤（例えば、ポリプロピレン顆粒）を、積層品内に有することを特徴とする、積層品。
【請求項９】
請求項1に記載の積層品であって、ヒトを横にして乗せるこことができる程度の面積を有する長方形であって、4隅に取っ手を装備し、内部を真空にして、ストレッチャーとして使用することができることを特徴とする、積層品。
【請求項１０】
請求項1から9に記載の積層品であって、相対する2辺の側を互いに絞めるようにするための止め具を、4辺のうちの相対する2辺の側に有することを特徴とする、積層品。
【請求項１１】
請求項10に記載の積層品であって、物体（例えば、肢）を巻くことができる製品であり、止め具をかみ合わせることにより固定し、真空装置を装備して内部を真空すると焼石膏包帯と同様の硬さの支持包帯となることを特徴とする、積層品。
【発明の詳細な説明】
【技術分野】
【０００１】
本発明は、主に、支持包帯の分野に関係している。
【背景技術】
【０００２】
通常、包帯は骨折及び他の組織が剥離した時に使用される。焼石膏によって処理した包帯は、このような場合に使用される。しかし、焼石膏処理された支持包帯を適用することは非常に煩雑な作業であり、さらに、包帯が硬くなるまでに時間がかかる。本発明の積層品を使うことにより、このような不利益を取り除くことができる。
【発明の開示】
【０００３】
多くの層を含む積層品を使うことが、前述の不利益を排除するために適切である。2の外層は気体媒質を通す物質であってはならない。一方、内部層は気体媒質を通す物質でなければならない。従って、該積層品は少なくとも3の層が必要である。これらの層において、内部層に気体を通しているときにも、2の外層は気体を通さない。内部層と1の外層を利用して、多くの閉鎖区画を成形する。この周縁を、結合、あるいは、溶接により形成する。さらにもう一方の外層を利用して、内部層と第一の外層により形成された2つの区画の間に結合する1の区画を形成し、積層品を構築する。2の外層のうちの1つはバルブを持っている。バルブを有する外層と内部層を介して、真空ポンプを接続し、全区画内を完全な真空にすることができる。全区画は充填剤で完全に、あるいは、部分的に充填されている。顆粒状物質は好適な充填剤である。
【０００４】
本発明の積層品は、肢（例えば腕）を完全に覆うことができる。該積層品を所望の位置にセットしたら、バキューム装置を装備し、全区画を完全に真空にする。このことにより、積層品が焼石膏包帯と同程度に硬くなる。積層品はその外縁に止め具部品を装備することができる。この止め具で積層品を対象に固定することにより、積層品内部を真空にしたときに、支持包帯を必要とする対象を強く固定することができる。積層品の素材とバルブに最高級の原料を用いることにより、本発明の積層品から成る支持包帯は焼石膏包帯と等しい耐用年数を持たせることができる。前記バルブは真空を解除することもできる形状をしている。従って、本発明の積層品は、繰り返し使用することができ、支持包帯の使用に関するコストを下げることができる。外層にはポリウレタン、そして、中間層には、気体透過性物質を使用することが好ましい。ポリプロピレンは充填剤として好適である。積層品を成形可能な状態から硬い状態にすることができる各種原料は、層の材料及び充填剤として好適である。
【０００５】
前述したように、本発明の積層品は医療行為に使用することを意図する。このことに関連して、積層品は、救急車の中に装備される救助用具としての使用も意図する。必要に応じて、他の場所、例えばスキー場における、有用な救助用品としても利用可能である。後者の例において、本発明の積層品は、怪我をした直後に使用する、例えば、ヒトが骨折をしてから、病院で治療を受けて、他の支持包帯に取り替えられるまで間に用いられる支持包帯として使うことができる。しかし、同じ支持包帯を、さらに、病院で使うことも可能である。
【０００６】
この積層品は、長さによって値段が決まる、メートル単位で販売される製品として、生産することができる。中間層を境界面として各区画が並ぶように配置されるのが好ましい。そのような配列にすることにより、各区画がお互いに平行に位置し、区画が直線上に並ぶことが、特に好ましい。
【０００７】
長方形の形状を有する本発明の積層品は、ヒトをその上に載せることも可能である。この形状の積層品の4隅それぞれに取っ手を付け、そして、バキューム装置を設定するためのバルブを装備すると、ストレッチャーを容易に作成することができる。
【０００８】
本発明の積層品は、各種開口部を覆うための製品に適用することができる。容器の蓋を作るために、及び、配管の開口部を密閉するために用いることができる。
【０００９】
本発明の積層品の利点は、成形可能な状態にあるときに、身体のどのような部分にでも対応する形状をつくることができることである。さらに、該積層品は、内部を真空にすると所望の位置に固定することができる。
【００１０】
本発明の積層品は、気体を通過させない2の外層及び、気体を通過させることができる多数の中間層からも作ることができる。中間層を増やすことで、より多くの区画を作ることができる。そして、この積層品の内部を真空にしたときに、より硬い積層品を成形することができる。
【発明を実施するための最良の形態】
【００１１】
支持包帯として使用する場合の本発明の積層品を、添付の3つの図面から説明する。
【００１２】
まず、図3から、支持包帯が3つの層(1-3)から成ることが明らかである。層1と3は、気体媒質を通さない原料から作られている。一方、この図の中の2で示す層は気体媒質を通す原料から作られている。層1と2は、多くの区画(図1中の4-10)を作成するために使われる。これらの区画の縁は、充填剤を入れることができるように結合される。充填剤は、例えばポリプロピレンである。あるいは、同様の特性を有する他のあらゆる原料から成る粒状物質でもよい。形成された区画は、層2を介して気体媒質を通すことができる。気体媒質を通すことができるあらゆる原料から、層2を作ることができる。両側の外層は、好ましくはポリウレタンで、あるいは、他の同じ特性を有するあらゆる原料で作ることができる。充填剤は、顆粒（粒状物質）を使う代わりに、顆粒と同じ特性を持っている他の物質を使用しても良い。従って、流体または半流動体のような粘性を有する原料も適している。中間層(2)と1の外層(3)を利用して、溶接、あるいは、結合により、さらに区画を形成する。中間層2を介して、これらの区画は、初めに作られた外層と中間層から成る2の区画に結合するように配置される。従って、図3に示すように、区画8は区画15と16に結合する。4辺(図2中で示す25-28)を有する積層品に止め具を装備する。図5の場合、止め具は面ファスナーの場合がある。これは、図2の番号18-23で示す。
【００１３】
図1中で示した積層品は、腕を骨折した時に、腕のまわりを覆うことに使用できる。腕を覆った後に、積層品を、面ファスナーを互いに接触にさせ、適所に固定する。その後、バルブ(24)にバキューム装置を装備し、積層品内を真空にする。このことにより、積層品が堅くなる。容易に、極めて迅速で、そして、如何なる煩雑な作業もせずに、積層品は正確な位置に焼石膏包帯と同様に支持包帯として機能する。
【００１４】
サイズを調節することにより、図1に示す長方形の積層品は、ストレッチャーとして使うこともできる。この場合に、積層品はその4隅にそれぞれ取っ手を装備する。本発明の長方形の積層品は、好ましくない開放部を覆うための壁の構成要素としても使用することができる。さらに、本発明の積層品はあらゆる型に形成することができる。積層品をある型に成形し、その後、積層品を硬くすることによって、所望の硬い型を作ることができる。
【００１５】
本発明の積層品の用途は、医療用に限定されず、所望の形状を確立したあとに、形成可能な状態から、固い状態に変更することが必要な全ての状況下で使用するような、かなり多くの用途があることが明らかである。
【００１６】
各区画の中の充填剤は、真空になったときに、硬く成るような性質を有してなければならない。この条件を満たす様々な原料が、適切であると考えられる。気体媒質を通す層、及び、気体媒質を通さない層の、2つのタイプの層は、それぞれの性質に合ったあらゆる原料から作ることができる。これらの原料として、プラスチックの薄片、金属の薄片、およびゴムの使用が考えられる。
【図面の簡単な説明】
【００１７】
【図１】図1は一方向から見た4角形の積層品を示す。
【図２】図2は図1の反対方向から見た4角形の積層品を示す。
【図３】図3は図1と2中で示された積層品の横断面を示す。
【図１】
2006520660.tif 000003
【図２】
2006520660.tif 000004
【図３】
2006520660.tif 000005
【図４】
2006520660.tif 000006
【図５】
2006520660.tif 000007
【国際調査報告】
2006520660.tif 000008
2006520660.tif 000009
2006520660.tif 000010